(57)【要約】【課題】ファインダを覗いて撮影条件を設定することが困難な至近距離の被写体の撮影に対してその撮影条件を容易に設定して撮影を可能にする。【解決手段】一眼レフカメラに装着する鏡筒３と、鏡筒の被写体側から光軸方向に延出されかつ互いに開閉自在に支持された２本の指針４とにより交換レンズ装置を構成する。フィルム式とデジタル式との各カメラに装着して撮影する場合に、各結像面の広狭に対応する撮影範囲を各指針の開度により設定し、カメラから被写体までの撮影距離の設定を指針の延出端間に被写体を位置させることにより行う。ファインダを覗くことなく指針を目安にして撮影距離及び撮影範囲を確認することができ、ファインダを覗いて撮影条件を設定するためには無理な姿勢となってしまう可能性が大きい至近距離の撮影を容易に行うことができる。【選択図】図１
2005326630.tif 000002
【特許請求の範囲】
【請求項１】
至近距離の被写体を撮影するべく一眼レフカメラに装着される鏡筒と、前記カメラから前記被写体までの撮影距離の指標となる長さにて光軸に対して対称的に開閉するように前記鏡筒により支持された少なくとも２本の指針と、前記各指針の開度により前記カメラの結像面の広狭の違いに対応させた前記被写体の撮影範囲を指示するべく前記各指針の開閉位置を設定する撮影範囲設定手段とを有することを特徴とする一眼レフカメラ用交換レンズ装置。
【請求項２】
前記鏡筒に前記撮影距離に応じて位置を変えられるレンズが設けられ、前記レンズの位置に合わせて前記指針の長さが調整可能にされていることを特徴とする請求項１に記載の一眼レフカメラ用交換レンズ装置。
【請求項３】
前記鏡筒に、前記至近距離の被写体を撮影する場合に極端に浅くなる被写界深度を深くするための小絞りと、前記カメラのファインダにより前記被写体の撮影条件を設定可能にする開放絞りとを選択的に設定可能な絞り機構が設けられていることを特徴とする請求項１または請求項２に記載の一眼レフカメラ用交換レンズ装置。
【発明の詳細な説明】
【技術分野】
【０００１】
本発明は、特に至近距離の被写体を撮影するのに適する一眼レフカメラ用交換レンズ装置に関するものである。
【背景技術】
【０００２】
従来、至近距離（例えばカメラのレンズから１０〜２０ｃｍ程度）の被写体を撮影することを主目的とする一眼レフカメラ用交換レンズにおいて、そのような至近距離の撮影対象である被写体に対する撮影条件の設定が非常に困難であった。撮影条件としては各種あるが、主に撮影視野・ピント位置・被写界深度を設定することが重要である。一眼レフカメラにあっては、撮影視野やピント位置をファインダを覗いて設定することができる。
【０００３】
しかしながら、上記先行技術は、文献公知発明に係るものではないため、記載すべき先行技術文献情報はない。
【発明の開示】
【発明が解決しようとする課題】
【０００４】
上記したような至近距離の被写体を撮影する場合にはファインダを覗いて各種条件を設定することは楽な姿勢を取れない場合には非常に困難である。特に、撮影機会の多い地面に近い所に咲く小さな花の細部や、垣根越しに腕を伸ばして至近距離で撮影したい花のような場合には、実際にファインダを覗いて撮影条件を設定することは不可能に近い。無理な姿勢での撮影条件の設定が可能であっても、高齢者や女性などにとっては不都合を感じることが多いのが実態である。
【課題を解決するための手段】
【０００５】
このような課題を解決して、一眼レフカメラに標準で搭載されているファインダを覗いて撮影条件を設定することが困難な至近距離の被写体の撮影に対してその撮影条件を容易に設定して撮影を可能にすることを実現するために本発明に於いては、至至近距離の被写体を撮影するべく一眼レフカメラに装着される鏡筒と、前記カメラから前記被写体までの撮影距離の指標となる長さにて光軸に対して対称的に開閉するように前記鏡筒により支持された少なくとも２本の指針と、前記各指針の開度により前記カメラの結像面の広狭の違いに対応させた前記被写体の撮影範囲を指示するべく前記各指針の開閉位置を設定する撮影範囲設定手段とを有するものとした。
【０００６】
特に、前記鏡筒に前記撮影距離に応じて位置を変えられるレンズが設けられ、前記レンズの位置に合わせて前記指針の長さが調整可能にされていると良い。また、前記鏡筒に、前記至近距離の被写体を撮影する場合に極端に浅くなる被写界深度を深くするための小絞りと、前記カメラのファインダにより前記被写体の撮影条件を設定可能にする開放絞りとを選択的に設定可能な絞り機構が設けられていると良い。
【発明の効果】
【０００７】
このように本発明の請求項１によれば、至近距離の被写体に対する撮影距離の指標となるように鏡筒に少なくとも２本の指針を設け、その開度をカメラの結像面の広狭の違いに対応させて被写体に対する撮影範囲を指示するように変化させることにより、ファインダを覗くことなく指針を目安にして撮影距離及び撮影範囲を確認することができ、ファインダを覗いて撮影条件を設定するためには無理な姿勢となってしまう可能性が大きい至近距離の撮影を容易に行うことができると共に、フィルム式カメラとデジタル式カメラとにおける結像面の広狭に違いに対応させて指針の開度を設定することができるため、異なる方式の一眼レフカメラに対して容易に対応し得る。
【０００８】
特に、撮影距離に応じてレンズの位置を変えられるようにすると共に、そのレンズの位置に合わせて指針の長さを調整可能にすることにより、距離の異なるマクロ撮影を行うことができ、かつそれぞれ容易に行うことができる。また、至近距離の被写体の撮影において被写界深度を深くして撮影可能にする小絞りと開放絞りとを選択的に設定可能にすることにより、その小絞りのままではファインダを覗いた場合に暗くなって撮影条件を設定できない場合に開放絞りを設定することによりその問題を解消することができるばかりでなく、開放絞りによる浅い被写界深度を意図した撮影を行うこともできる。
【発明を実施するための最良の形態】
【０００９】
以下、本発明の実施の形態を、図面を参照しながら説明する。図１は本発明が適用された一眼レフカメラによる至近距離（例えばカメラのレンズから１０〜２０ｃｍ程度）の被写体に対する撮影要領を示す全体斜視図である。本発明による一眼レフカメラ用交換レンズ装置１は、図１に示されるように一眼レフカメラ２に一般的な交換レンズと同様（例えばバヨネット式）に装着される鏡筒３と、鏡筒の３の先端（被写体側開口端）に一体的に取り付けられた例えば左右一対の指針４とを有する。
【００１０】
図２に示されるように、鏡筒３の先端には支持リング５が固着され、支持リング５には、その径方向対称位置から拡開して延出する一対の支持棒６が一体に設けられている。図示例の両支持棒６は鏡筒３を一眼レフカメラ２に装着した状態で一眼レフカメラ２の左右方向に位置するように設けられている。その支持棒６の拡開方向に対して内側に指針ロッド７が設けられている。指針ロッド７の一端は、支持リング５により両支持棒６の拡開方向に傾動自在に枢支されている。指針ロッド７の他端には円筒状のスライド軸支部８が形成されており、指針ロッド７の他端近傍には支持棒６を乗り越えて拡開方向外側に延出された外向耳片９が一体に形成されている。
【００１１】
スライド軸支部８には指針ロッド７の軸線方向に貫通する軸支孔８ａが形成されており、その軸支孔８ａにより棒状の指針４の中間部が軸線方向（図２の矢印Ａ）にスライド自在に支持されている。なお図２は、指針４が最も後退した状態である。その指針４の突出方向端には、棒状の軸部よりも拡径された円柱状の首部４ａと、丸められた形状の頭部４ｂとが設けられている。スライド軸支部８には首部４ａの一部を受容する略同径の大径孔が軸支部８ａと同軸に形成されており、図に示されるように首部４ａが大径孔に突入した状態では、両者が摩擦係合してスライド軸支部８により首部４ａが保持され、それにより指針４が短い状態に位置決めされている。
【００１２】
指針４の頭部４ｂとは相反する軸線方向端には外向フランジ状のストッパ４ｃが設けられている。例えば指針４の頭部４ｂを把持して指針４を引き出すことができ、ストッパ４ｃがスライド軸支部８に当接して指針４が最大に引き出された状態になる（図３の実線）。
【００１３】
また、支持棒６における上記外向耳片９に対応する位置には、図示例では外向耳片９の下側にて外向耳片９に沿って延出する外向突部６ａが一体に形成されており、外向突部６ａには外向耳片９に向けて突出するガイドピン６ｂが設けられている。外向耳片９には、その延出方向に延びるようにされた円弧状のスロット９ａが形成されており、そのスロット９ａに上記ガイドピン６ｂが貫通するようにされている。このようにして、ガイドピン６ｂによりスロット９ａがガイドされ、そのスロット９ａの長さ分だけ指針ロッド７が図２に示される矢印Ｂに示される向きに傾動し得る。これにより、両指針４が光軸ＣＬに対して対称的に開閉する。
【００１４】
図１及び図２に示される状態は本交換レンズ装置をフィルム式一眼レフカメラに適用した場合を示している。この場合には両指針ロッド７を上記スロット９ａによる最も外側の位置まで変位させる。それに対してデジタル式一眼レフカメラの場合には、ＣＣＤにおける結像面がフィルムよりも狭くなっていることから、その広狭に合わせて両指針ロッド７を上記スロット９ａによる最も内側の位置まで変位させる。例えば図３に示されるスーパーマクロを例にすると、フィルム式に合わせて両指針ロッド７を外側に広げた状態（実線）ではその撮影範囲は図のＺ１となり、デジタル式に合わせて両指針ロッド７を内側に狭めた状態（想像線）ではその撮影範囲は図のＺ２で示されるようにフィルム式よりも狭く設定される。このようにして、フィルム式カメラとデジタル式カメラとの結像面の広狭に好適に合わせることができる。
【００１５】
本図示例では至近距離の被写体のカメラ２のレンズからの撮影距離を１０〜２０ｃｍとして説明する。図１及び図２に示されるように指針４が短い状態は１０ｃｍの撮影距離Ｌ１（ウルトラマクロと称す）に対応し、図３に示されるように指針４が長い状態は２０ｃｍの撮影距離Ｌ２（スーパーマクロと称す）に対応する。ウルトラマクロ及びスーパーマクロいずれの場合においても両指針４の先端（頭部４ｂ）間に被写体（例えば図１の花Ｓ）を位置させて撮影する。
【００１６】
上記したように複数の撮影距離に対応させるために、図４に示されるように、鏡筒３には光軸方向に移動可能にしたレンズ１１が設けられている。このレンズ１１を光軸方向に移動させる構造はカメラにおける一般的なカム筒を用いたものであって良く、特別な構造となるものではない。
【００１７】
例えばレンズ１１を保持するレンズホルダ１２が鏡筒３の内側に同軸に受容されており、そのレンズホルダ１２に突設されたカムピン１２ａの突出方向端部が、鏡筒３の小径部に軸線方向に延在するように設けられたスロット３ａを貫通している。鏡筒３の小径部にはカム筒１３が周方向に回動自在に嵌装されており、そのカム筒１３の外周には例えばピン結合されて一体化された操作リング１４が外装されている。カム筒１３には軸線に対して斜めに延在するカム溝１３ａが設けられており、そのカム溝１３にカムピン１２ａの突出端部が突入している。なお、操作リング１４の外周面には手による操作を容易にするための例えばゴム製のグリップが設けられている。
【００１８】
図示例では、操作リング１４を回すことにより、スロット１２ａにより軸線方向にのみ移動するように規制されたカムピン１２ａがカム溝１３ａによりガイドされて軸線方向に移動する。これにより、レンズホルダ１２すなわちレンズ１１が光軸方向に移動し、撮影距離に応じて被写体Ｓの映像をフィルム面Ｆに結像させることができる。
【００１９】
また本交換レンズ装置には、図４に示されるように、レンズホルダ１２のカメラ側端面に絞り機構が設けられている。その絞り機構は、図５に併せて示されるように、カメラの絞りとして一般的な複数枚の絞り羽根１５を用いて構成されている。各絞り羽根１５はレンズホルダ１２に回動自在に設けられた環状体１６に連係し、図５（ａ）・（ｂ）に示されるように環状体１６の回動角度に連動して各絞り羽根１５の重なり度合いが変化して、各絞り羽根１５により中央に形成される開口からなる絞り１７の口径が大小変化する。
【００２０】
上記環状体１６の本図示例における回動構造にあっては、鏡筒３に半径方向に変位自在に設けられた押しボタン１８と、押しボタン１８の内方突入端部と環状体１６との間に設けられたリンク装置１９とからなる。なお、図５（ａ）の状態では絞り１７が小絞り（例えばＦ値３２）になるようにされており、それに対して図５（ｂ）に示されるように押しボタン１８を矢印Ｃの向きに押すことにより開放状態になるようにされている。なお、押しボタン１８を押す力を解除することにより自動的に図５（ａ）の状態に戻し得るように、図示例では環状体１６に戻しばね２０が連結されている。
【００２１】
このように構成された本交換レンズ装置を用いた撮影では、撮影距離に応じて指針４の長さを決め、かつフィルム式カメラとデジタル式カメラとにおける結像面の広狭の違いに応じて両指針４の開度を決めて、そのようにして設定された両指針４の先端間に被写体Ｓを位置させて撮影する。具体的には、図１及び図２に示されるように指針４を後退させた（最も縮めた）状態ではレンズ１１から１０ｃｍ程度の距離にある被写体Ｓを撮影するウルトラマクロの設定になる。それに対して図３の実線に示されるように指針４を引き出した（最も伸ばした）状態ではレンズ１１から２０ｃｍ程度の距離にある被写体Ｓを撮影するスーパーマクロの設定になる。
【００２２】
各マクロ撮影では撮影距離に応じてレンズ１１を移動させる必要があり、そのための目印として、例えば操作リング１４の任意の位置に指標を記し、レンズ１１の位置に対応する操作リング１４の回動位置に合わせて、鏡筒３の外周面にウルトラマクロを示す「Ｕ」とスーパーマクロを示す「Ｓ」との各文字を記しておくと良い。例えば指標をＵに合わせれば、レンズ１１はウルトラマクロ位置すなわちレンズから約１０ｃｍ前方の位置にピントが合っていることを示しており、その場合には指針４を最短にすることによって、指針４の先端はその時点での撮影範囲及びピント位置を示す。指標をＳに合わせれば、レンズ１１はスーパーマクロの位置すなわちレンズ１１から２０ｃｍ前方の位置にピントが合っていることを示しており、その場合には指針４の先端を最長まで伸ばせばその先端がスーパーマクロの撮影範囲及びピント位置を示すことになる。
【００２３】
また、両指針ロッド７が互いに近接離反する方向（図示例では左右方向）に開閉自在にされており、両指針４も開閉し得る。図１及び図２に示される大開度状態はフィルム式カメラにおける結像面の大きさに対応する開度であり、図３の想像線に示される小開度状態はデジタル式カメラにおける結像面の大きさに対応する開度である。
【００２４】
上記したような至近距離（１０〜２０ｃｍ）の撮影にあっては、通常撮影時のレンズの明るさを用いた撮影では被写界深度が極端に浅くなり、望ましい結果が得られない。そのため、撮影レンズの絞りを通常の撮影では利用しないほどの極めて小さい口径すなわち上記したようにＦ値３２あるいはそれ以上の暗いレンズ絞りとして深い被写界深度が得られるようにしている。また、その影響を受けて光量が極端に不足することに対しては、カメラ２の撮影条件として強制発光を選択し、その発光によって補完する。
【００２５】
本交換レンズ装置を用いた標準撮影要領にあっては上記したようにするため、レンズを通過した光によってファインダを構成している一眼レフカメラの場合には、ファインダの映像も暗くなり、ファインダによる撮影視野の決定、ピント確認などの視認に大きな不都合が生ずる。本交換レンズ装置を用いれば、ファインダを覗くことなく被写体Ｓの位置を容易に決定することができるが、さらにファインダを覗いて撮影条件を設定したい場合にも対応し得る。その場合には押しボタン１８を押して絞り１７を開放状態にする。これにより、十分に明るいファインダの状態で視野及びピント位置を設定し、設定後に押しボタン１８の押力を解除すれば自動的に絞りは小絞りに復帰し、至近距離の被写体Ｓに対しても深い深度の撮影が可能となる。
【００２６】
さらに、時としてある一点に焦点を結び、その前後をわざとぼかすことによってその部分のピントを強調させたいような場合があるが、その場合には押しボタン１８を押して絞りを開き、そのままで撮影すれば被写体Ｓを望みの浅い深度で強調して撮影することも可能である。
【００２７】
なお、上記図示例では指針４を左右一対の２本設けた場合を示したが、指針４の数は２本に限定されるものではなく、互いに対称的に開閉するようにされていれば良く、３本またはそれ以上の数であって良い。また、絞り１７を小絞りに固定しただけのものであっても良い。もちろん、図示例のように開放絞りを選択可能にすることにより上記したように使い勝手が良くなる。また、指針４の長さを固定したものであっても良い。この場合にも図示例のように長さを調整可能にすると共にレンズ１１を移動可能にすることにより上記したように多様な撮影を行うことができる。さらに、レンズ１１の移動位置を示す目盛りを細かく記すと共にそれに応じた指針４４の延長位置を示す目盛りも細かく記すことにより、図示例のウルトラマクロとスーパーマクロとの２位置のみではなく、その他の任意の位置に対するマクロ撮影を行うことができる。
【図面の簡単な説明】
【００２８】
【図１】本発明が適用された一眼レフカメラによる至近距離の被写体に対する撮影要領を示す全体斜視図である。
【図２】本発明に基づく交換レンズ装置の要部破断平面図である。
【図３】スーパーマクロ撮影状態を示す上面図である。
【図４】本発明に基づく交換レンズ装置の鏡筒部分を示す断面図である。
【図５】（ａ）は小絞り状態を示す図であり、（ｂ）は開放絞り状態を示す図である。
【符号の説明】
【００２９】
１  一眼レフカメラ用交換レンズ装置
３  鏡筒
４  指針
７  指針ロッド
１１  レンズ
１２  レンズホルダ
１３  カム筒
１４  操作リング
１５  絞り羽根
１７  絞り
１８  押しボタン
１９  リンク装置
【図１】
2005326630.tif 000003
【図２】
2005326630.tif 000004
【図３】
2005326630.tif 000005
【図４】
2005326630.tif 000006
【図５】
2005326630.tif 000007